(57)【要約】【課題】簡単な構成で、チャイルドレジスタンス機能を実現することができると共に、耐久性に優れ且つコンパクト化を図ることができるＰＴＰシート用収容体を提供する。【解決手段】ＰＴＰシート８０の下面側に位置する下面板４と上面側に位置する上面板５とを備えさせる。下面板４に、薬剤８３がＰＴＰ台紙の下面から押し出される際に、この薬剤８３を通過させるための取り出し孔を設ける。上面板５に、ＰＴＰシート８０の突出部８１ａが挿入される突出部ガイド孔５２を設ける。突出部ガイド孔５２を、ＰＴＰシート８０の長手方向に対して所定の傾斜角度をもって延在し、この延在方向の一方側に位置して前記取り出し孔に対向する第１開口領域と、前記延在方向の他方側に位置して一部分が前記取り出し孔に対向しない第２開口領域とを備えさせる。これにより、比較的簡単な構成でチャイルドレジスタンス機能を実現する。【選択図】図１
2019006452.tif 000002
【特許請求の範囲】
【請求項１】
長方形状に形成された台紙の長手方向に沿って所定間隔を存して列状に配置された突出部の内部に内容物が封入されて成るＰＴＰシートを収容するＰＴＰシート用収容体であって、
前記ＰＴＰシートを収容した状態において、該ＰＴＰシートの前記台紙の下面側に位置する下面板と、前記台紙の上面側に位置する上面板とを備え、
前記下面板には、前記内容物が前記ＰＴＰシートの前記台紙の下面から押し出される際に、この内容物を通過させるための取り出し部が設けられており、
前記上面板には、前記突出部が挿入される突出部ガイド孔が設けられており、
該突出部ガイド孔は、前記長手方向に対して所定の傾斜角度をもって延在され、この延在方向の一方側に位置して前記取り出し部に対向する第１開口領域と、前記延在方向の他方側に位置して少なくとも一部分が前記取り出し部に対向しない第２開口領域とを有しており、前記突出部が前記突出部ガイド孔に沿って移動されて前記第１開口領域にある状態では、前記台紙の下面において前記突出部に対向する部分の全体が前記下面板の前記取り出し部に対向し、前記突出部が前記突出部ガイド孔に沿って移動されて前記第２開口領域にある状態では、前記台紙の下面において前記突出部に対向する部分の少なくとも一部が前記下面板の前記取り出し部に対向しない構成とされていることを特徴とするＰＴＰシート用収容体。
【請求項２】
請求項１記載のＰＴＰシート用収容体において、
前記上面板に設けられている前記突出部ガイド孔における前記第１開口領域と前記第２開口領域との間には、前記突出部の外縁寸法よりも開口幅寸法が小さい連絡開口領域が設けられていることを特徴とするＰＴＰシート用収容体。
【請求項３】
請求項１または２記載のＰＴＰシート用収容体において、
前記下面板または前記上面板に連接し、該上面板の上側を覆う閉鎖状態と、該上面板の上側を開放する開放状態との間で開閉自在な蓋部が設けられていることを特徴とするＰＴＰシート用収容体。
【請求項４】
請求項１、２または３記載のＰＴＰシート用収容体において、
前記下面板の前記取り出し部は、前記内容物の形状に対応した開口で成ることを特徴とするＰＴＰシート用収容体。
【請求項５】
請求項１、２または３記載のＰＴＰシート用収容体において、
前記下面板の前記取り出し部は、該下面板から離脱されることで前記内容物の形状に対応した開口を形成するように、切除線を介して該下面板に繋がる封止片を備えていることを特徴とするＰＴＰシート用収容体。
【発明の詳細な説明】
【技術分野】
【０００１】
本発明は、薬剤等の内容物が封入されて成るＰＴＰシートを収容するＰＴＰシート用収容体に関する。
【背景技術】
【０００２】
従来、薬剤等が封入されて成るＰＴＰ（Press Through Package）シートを収容した状態のまま該ＰＴＰシートから薬剤等を取り出し可能にするＰＴＰシート用収容体が提案されている。
【０００３】
例えば、特許文献１には、一枚のブランクシートから打ち抜かれた包装体形成片により構成され、ＰＴＰシートを挟んで接着される一対の保持部材と、ＰＴＰシートからの薬剤の取り出しを阻止するための遮蔽板とを備えたＰＴＰシート用収容体が開示されている。この特許文献１に開示されているＰＴＰシート用収容体では、前記包装体形成片の所定の折罫線の折れ角度を変更することにより前記遮蔽板が移動し、該遮蔽板がＰＴＰシートの薬剤取り出し側を覆って該ＰＴＰシートからの薬剤の取り出しを阻止する遮蔽状態と、遮蔽板がＰＴＰシートの薬剤取り出し側から退避して該ＰＴＰシートからの薬剤の取り出しを可能にする開放状態とが切り替わるようになっている。
【０００４】
また、この特許文献１に開示されているＰＴＰシート用収容体は、展開状態における第１覆い部材、第２覆い部材、第１保持部材、第２保持部材、遮蔽板、折曲部材等の各部材を順次折り重ねることで作製され、遮蔽板に連接されている折曲部材の折罫線の折れ角度を変更することで、前記遮蔽状態と前記開放状態とが切り替えられる。
【０００５】
このようにＰＴＰシートからの薬剤の取り出しを阻止する状態（前記遮蔽状態）と、薬剤の取り出しを可能にする状態（前記開放状態）とを切り替える機能は、一般にチャイルドレジスタンス機能（幼児等が誤って薬剤を取り出してしまうことを防止する機能）と呼ばれる。
【先行技術文献】
【特許文献】
【０００６】
【特許文献１】特開２０１５−９８８７号公報
【発明の概要】
【発明が解決しようとする課題】
【０００７】
しかしながら、特許文献１に開示されているＰＴＰシート用収容体は、前述したように多くの部材を順次折り重ねることで作製されるものであるため、構成が複雑であり、作製に手間がかかるといった課題がある。また、この特許文献１に開示されているＰＴＰシート用収容体は、薬剤の取り出しを行う度に折曲部材の折罫線の折れ角度を変更するものであるため、この薬剤の取り出しを複数回に亘って行った場合に、折曲部材の折罫線の部分が破断してしまい、前記遮蔽状態と前記開放状態との切り替えが不能になってしまう虞がある。
【０００８】
本発明の発明者は、前記特許文献１の構成において生じている前記課題を解消しながらも、ＰＴＰシート用収容体のコンパクト化を図ることについて検討した。
【０００９】
本発明は、かかる点に鑑みてなされたものであり、その目的とするところは、簡単な構成で、チャイルドレジスタンス機能を実現することができると共に、耐久性に優れ且つコンパクト化を図ることができるＰＴＰシート用収容体を提供することにある。
【課題を解決するための手段】
【００１０】
前記の目的を達成するための本発明の解決手段は、長方形状に形成された台紙の長手方向に沿って所定間隔を存して列状に配置された突出部の内部に内容物が封入されて成るＰＴＰシートを収容するＰＴＰシート用収容体を前提とする。そして、このＰＴＰシート用収容体は、前記ＰＴＰシートを収容した状態において、該ＰＴＰシートの前記台紙の下面側に位置する下面板と、前記台紙の上面側に位置する上面板とを備え、前記下面板には、前記内容物が前記ＰＴＰシートの前記台紙の下面から押し出される際に、この内容物を通過させるための取り出し部が設けられており、前記上面板には、前記突出部が挿入される突出部ガイド孔が設けられており、該突出部ガイド孔は、前記長手方向に対して所定の傾斜角度をもって延在され、この延在方向の一方側に位置して前記取り出し部に対向する第１開口領域と、前記延在方向の他方側に位置して少なくとも一部分が前記取り出し部に対向しない第２開口領域とを有しており、前記突出部が前記突出部ガイド孔に沿って移動されて前記第１開口領域にある状態では、前記台紙の下面において前記突出部に対向する部分の全体が前記下面板の前記取り出し部に対向し、前記突出部が前記突出部ガイド孔に沿って移動されて前記第２開口領域にある状態では、前記台紙の下面において前記突出部に対向する部分の少なくとも一部が前記下面板の前記取り出し部に対向しない構成とされていることを特徴とする。
【００１１】
この特定事項により、ＰＴＰシートをＰＴＰシート用収容体に収容した状態では、ＰＴＰシートの台紙の下面側は下面板によって支持され、ＰＴＰシートの突出部は上面板に設けられた突出部ガイド孔に挿入されている。この突出部ガイド孔は、ＰＴＰシートの台紙の長手方向に対して所定の傾斜角度をもって延在されているため、突出部はこの突出部ガイド孔の延在方向に沿って移動可能となっている。つまり、ＰＴＰシートが、この突出部ガイド孔の延在方向に沿ってスライド移動可能となっている。
【００１２】
そして、突出部が上面板の突出部ガイド孔に沿って移動されて第２開口領域（前記延在方向の他方側に位置して少なくとも一部分が下面板の取り出し部に対向しない領域）にある状態では、台紙の下面において突出部に対向する部分の少なくとも一部が下面板の取り出し部に対向しない状態となり、突出部を下面側に向けて押圧しても、下面板によって内容物の取り出しは阻止される。つまり、チャイルドレジスタンス機能が発揮される。
【００１３】
一方、突出部が上面板の突出部ガイド孔に沿って第１開口領域（前記延在方向の一方側に位置して下面板の取り出し部に対向する領域）まで移動されると、台紙の下面において突出部に対向する部分の全体が下面板の取り出し部に対向する状態となり、突出部を下面側に向けて押圧することで、内容物がＰＴＰシートの台紙の下面から下面板の取り出し部を通過して取り出されることになる。
【００１４】
このように、本解決手段に係るＰＴＰシート用収容体は、下面板と上面板との間にＰＴＰシートを収容し、突出部を突出部ガイド孔の延在方向に沿って移動させて、下面板と上面板との間でＰＴＰシートをスライド移動させるのみで、内容物の取り出しを阻止する状態と内容物の取り出しを可能にする状態とを切り替えることができる。このため、比較的簡単な構成でチャイルドレジスタンス機能を実現することができる。また、折罫線の折れ角度を変更するといったものではなく、内容物の取り出しを阻止する状態と内容物の取り出しを可能にする状態とを複数回に亘って切り替えた場合に折罫線の部分が破断してしまうといった虞のないものである。このため、耐久性に優れたものとなっている。また、下面板と上面板との間でＰＴＰシートをスライド移動させる方向は、長方形に形成されているＰＴＰシートの長手方向に対して所定の傾斜角度を存した方向（上面板の突出部ガイド孔の延在方向）である。このため、ＰＴＰシートをその長手方向に沿って移動させるものに比べて、この長手方向のＰＴＰシート用収容体の長さ寸法は短くて済む。このため、ＰＴＰシート用収容体のコンパクト化を図ることもできる。
【００１５】
また、前記上面板に設けられている前記突出部ガイド孔における前記第１開口領域と前記第２開口領域との間には、前記突出部の外縁寸法よりも開口幅寸法が小さい連絡開口領域が設けられていることが好ましい。
【００１６】
これによれば、ＰＴＰシートの突出部が、突出部ガイド孔の第１開口領域と第２開口領域との間で移動する場合には、この突出部が連絡開口領域の開口幅を押し広げながら（突出部ガイド孔の開口縁を弾性変形させながら）該連絡開口領域を通過する必要がある。このため、突出部が第１開口領域や第２開口領域に位置している場合には、その状態が保持されることになる。これにより、不用意に突出部が第２開口領域から第１開口領域に移動してしまうといった状況を回避することができ、チャイルドレジスタンス機能が不用意に解除されてしまうといったことが防止できて、該機能の信頼性を高めることができる。
【００１７】
また、前記下面板または前記上面板に連接し、該上面板の上側を覆う閉鎖状態と、該上面板の上側を開放する開放状態との間で開閉自在な蓋部が設けられていることが好ましい。
【００１８】
これによれば、蓋部によって上面板の上側を覆って閉鎖状態にすれば、ＰＴＰシートの突出部に対して突出部ガイド孔の延在方向に沿う外力が作用することを防止できる。これによっても、不用意に突出部が第２開口領域から第１開口領域に移動してしまうといった状況を回避することができ、チャイルドレジスタンス機能が不用意に解除されてしまうといったことが防止できて、該機能の信頼性を高めることができる。また、この閉鎖状態にあっては、ＰＴＰシートの突出部の破損を防止することもでき、この突出部の破損に起因して内容物が突出部側から落下してしまうといったことも防止できる。
【００１９】
また、前記取り出し部の形態としては、以下のものがある。先ず、前記下面板の前記取り出し部を、前記内容物の形状に対応した開口とするものである。また、前記下面板の前記取り出し部を、該下面板から離脱されることで前記内容物の形状に対応した開口を形成するように、切除線を介して該下面板に繋がる封止片を備えさせたものである。
【００２０】
取り出し部を内容物の形状に対応した開口とする場合には、下面板の作製が容易になる。また、取り出し部に前記封止片を備えさせた構成とした場合には、仮に、不用意に突出部が第２開口領域から第１開口領域に移動してしまってチャイルドレジスタンス機能が解除されてしまった場合であっても、封止片を打ち抜く（下面板から離脱させる）だけの押圧力を突出部に作用させねば内容物は取り出せないため、チャイルドレジスタンス機能を残すことができる。また、手動によって封止片を下面板から離脱させる（めくり取る）ものとすることもでき、この場合、ＰＴＰシートのスライド移動操作、封止片の離脱操作といった２段階の操作を行わねば内容物は取り出せないことになるため、２段階でチャイルドレジスタンス機能を発揮させることができる。
【発明の効果】
【００２１】
本発明によれば、下面板と上面板との間にＰＴＰシートを収容し、下面板と上面板との間でＰＴＰシートをスライド移動させるのみで、内容物の取り出しを阻止する状態と内容物の取り出しを可能にする状態とを切り替えることができる。このため、比較的簡単な構成でチャイルドレジスタンス機能を実現することができる。また、折罫線の折れ角度を変更するといったものではなく、それに起因する部材の破断の虞がないため、耐久性の向上を図ることができる。更に、ＰＴＰシートのスライド移動方向は、長方形に形成されているＰＴＰシートの長手方向に対して所定の傾斜角度を存した方向であるため、ＰＴＰシート用収容体の長手方向の長さ寸法は短くて済み、ＰＴＰシート用収容体のコンパクト化を図ることができる。
【図面の簡単な説明】
【００２２】
【図１】実施形態１に係るＰＴＰシート用収容体にＰＴＰシートを収容した状態を示す斜視図である。
【図２】実施形態１に係るＰＴＰシート用収容体を展開した状態を示す平面図である。
【図３】実施形態１において下面板に形成されている取り出し孔およびその周辺部を拡大して示す図である。
【図４】実施形態１において上面板に形成されている突出部ガイド孔およびその周辺部を拡大して示す図である。
【図５】実施形態１において下面板上に上面板が重ね合わされた状態であって、ＰＴＰシートを省略した、取り出し孔、突出部ガイド孔およびその周辺部を拡大して示す図である。
【図６】実施形態１においてＰＴＰシートからの薬剤の取り出しを阻止するレジスタンス状態を示す図であって、図６（ａ）はＰＴＰシート用収容体の平面図であり、図６（ｂ）はＰＴＰシート用収容体の下面図である。
【図７】実施形態１においてＰＴＰシートからの薬剤の取り出しを可能にするレジスタンス解除状態を示す図であって、図７（ａ）はＰＴＰシート用収容体の平面図であり、図７（ｂ）はＰＴＰシート用収容体の下面図である。
【図８】実施形態２に係るＰＴＰシート用収容体を展開した状態を示す平面図である。
【図９】実施形態２において下面板上に上面板が重ね合わされた状態であって、ＰＴＰシートを省略した、封止片、突出部ガイド孔およびその周辺部を拡大して示す図である。
【図１０】ＰＴＰシートの斜視図である。
【発明を実施するための形態】
【００２３】
以下、本発明の実施の形態を図面に基づいて説明する。本実施形態では、医薬品の錠剤（以下、薬剤と呼ぶ）を封入したＰＴＰシートを収容し、このＰＴＰシートを収容した状態のまま該ＰＴＰシートから薬剤を取り出し可能にするＰＴＰシート用収容体として本発明を適用した場合について説明する。
【００２４】
−ＰＴＰシート−
ＰＴＰシート用収容体についての各実施形態を説明する前に、該ＰＴＰシート用収容体に収容されるＰＴＰシートについて説明する。
【００２５】
図１０はＰＴＰシート８０の斜視図である。このＰＴＰシート８０は複数（本実施形態では１０個）の薬剤（本発明でいう内容物）を包装するものである。ＰＴＰシート８０は、ポリ塩化ビニルやポリプロピレン等のプラスチックシートから成る収容シート８１と、容易に破断することができる金属箔、例えばアルミ箔から成る被覆シート８２と、薬剤８３とから構成されている。収容シート８１と被覆シート８２とはヒートシールによって接着され、これにより、平面視が略長方形状のＰＴＰ台紙８４を形成している。図１０では、ＰＴＰ台紙８４の長手方向Ｘの寸法（ＰＴＰシート８０の長手方向Ｘの寸法）をＸ１で示し、幅方向Ｗの寸法（ＰＴＰシート８０の幅方向Ｗの寸法）をＷ１で示している。
【００２６】
具体的に、収容シート８１には、熱成形によって所定深さの複数の突出部８１ａ，８１ａ，…が長手方向Ｘに沿って所定の間隔で列状に配置されている。この収容シート８１において突出部８１ａ，８１ａ，…以外の部分は平板状のフランジ部８１ｂとなっており、このフランジ部８１ｂが、前記ヒートシールによって被覆シート８２に接着されている。そして、各突出部８１ａ，８１ａ，…の内部（収容シート８１の突出部８１ａと被覆シート８２との間に形成された空間）に薬剤８３が封入されている。
【００２７】
本実施形態に係るＰＴＰシート８０は、５個の突出部８１ａ，８１ａ，…が並べられた列が２列、互いに平行に形成され、合計１０個の突出部８１ａ，８１ａ，…が設けられている。薬剤８３は偏平な略円柱形状で成り、突出部８１ａは、この薬剤８３の形状に合わせて、平面視が円形に形成されている。ここで、突出部８１ａの直径をＰ１、長手方向Ｘで隣り合う突出部８１ａ，８１ａ同士の間隔をＰ２とすると、この長手方向Ｘにおける突出部８１ａ，８１ａのピッチＰ１０（長手方向Ｘにおける突出部８１ａ，８１ａの中心間長さ）は、Ｐ１０＝Ｐ１＋Ｐ２となる。また、幅方向Ｗで隣り合う突出部８１ａ，８１ａ同士の間隔をＰ３とすると、この幅方向Ｗにおける突出部８１ａ，８１ａの中心間長さＰ２０は、Ｐ２０＝Ｐ１＋Ｐ３となる。
【００２８】
以下、前述したＰＴＰシート８０を収容するＰＴＰシート用収容体についての複数の実施形態を説明する。
【００２９】
−実施形態１−
先ず、実施形態１について説明する。図１は、本実施形態に係るＰＴＰシート用収容体１にＰＴＰシート８０を収容した状態を示す斜視図である。より具体的には、後述するＰＴＰシート収容部２に対して開閉自在に連接された蓋部３を開放した状態（ＰＴＰシート収容部２に収容されたＰＴＰシート８０の一部（前記突出部８１ａ）が外部に臨んだ状態）を示している。また、図２は、ＰＴＰシート用収容体１を展開した状態（展開シートの状態）を示す平面図である。この図２では、ＰＴＰシート用収容体１の裏面（ＰＴＰシート８０を収容する側となる内面）を示している
図１に示すように、ＰＴＰシート用収容体１は、例えば紙製で成り、ＰＴＰシート収容部２と、このＰＴＰシート収容部２に対して開閉自在に連接された蓋部３とを有している。以下、各部２，３およびこれら各部２，３を構成する板材について説明する。
【００３０】
（ＰＴＰシート収容部）
ＰＴＰシート収容部２は、ＰＴＰシート８０を収容する部分であって、下面板４と、該下面板４に連接された上面板５とにより構成され、これら下面板４と上面板５との間で前記ＰＴＰシート８０のフランジ部８１ｂを挟んだ状態で該ＰＴＰシート８０を収容するようになっている。これら下面板４および上面板５は、前記ＰＴＰシート８０を収容可能とするように、該ＰＴＰシート８０の平面視形状（略長方形状）よりも大きな略長方形状で形成されている。つまり、これら下面板４および上面板５における長手方向Ｘの寸法（図２における寸法Ｘ２）はＰＴＰシート８０における長手方向Ｘの寸法Ｘ１よりも大きく設定されており、これら下面板４および上面板５における幅方向Ｗの寸法（図２における寸法Ｗ２）はＰＴＰシート８０における幅方向Ｗの寸法Ｗ１よりも大きく設定されている。また、これら下面板４および上面板５それぞれの長手方向Ｘの寸法Ｘ２は互いに略同一寸法となっており、これら下面板４および上面板５それぞれの幅方向Ｗの寸法Ｗ２も互いに略同一寸法となっている。つまり、下面板４と上面板５は外縁形状が略合致している。
【００３１】
下面板４および上面板５は、この両者間の折り返し線Ｌ１において下面板４に対して上面板５が折り返されることにより、下面板４の裏面４１および上面板５の裏面５１（それぞれ図２において手前側を向いている面）同士の一部が接着され、これによって前記ＰＴＰシート収容部２が構成される（図１を参照）。実際には、これら下面板４と上面板５との間にＰＴＰシート８０のフランジ部８１ｂが挟まれた状態で、各板４，５同士が接着され、これによって各板４，５同士の間にＰＴＰシート８０が収容されることになる。この収容状態の詳細については後述する。このように、ＰＴＰシート収容部２にＰＴＰシート８０を収容した状態においては、該ＰＴＰシート８０のＰＴＰ台紙８４の下面側（被覆シート８２側）に下面板４が位置し、ＰＴＰ台紙８４のフランジ部８１ｂの上面側に上面板５が位置することになる。
【００３２】
また、これら下面板４の裏面４１と上面板５の裏面５１との接着領域は図２に実線の斜線を付した領域（糊代部）Ｊ１で示す領域である。つまり、下面板４において前記折り返し線Ｌ１側とは反対側の端縁部分、および、上面板５において前記折り返し線Ｌ１側とは反対側の端縁部分それぞれが接着領域となっている。なお、図２に破線の斜線を付した領域（糊代部）Ｊ２（下面板４および上面板５それぞれにおいて前記折り返し線Ｌ１側の部分）においても下面板４の裏面４１と上面板５の裏面５１とを接着するようにしてもよい。
【００３３】
このように、下面板４の裏面４１と上面板５の裏面５１とは、これらの幅方向Ｗの一方側（または両側）のみにおいて接着され、中央部分や上下両側部分では接着されていない。この接着されていない領域（下面板４および上面板５の中央部分や上下両側部分）の長手方向Ｘの寸法（図２における寸法Ｘ３；本実施形態では寸法Ｘ２に一致）および幅方向Ｗの寸法（図２における寸法Ｗ３）としては、ＰＴＰシート８０の平面視形状（略長方形状）での長手方向Ｘの寸法Ｘ１および幅方向Ｗの寸法Ｗ１よりも十分に大きな寸法となっている。これにより、ＰＴＰシート８０が、下面板４の裏面４１および上面板５の裏面５１の何れにも接着されることのない状態で、前記フランジ部８１ｂが下面板４と上面板５との間に挟まれる構成となる。
【００３４】
また、前記上面板５における前記折り返し線Ｌ１側の部分であって長手方向Ｘの中央部分には、後述する蓋部３に係止される係止片部５３が設けられている。この係止片部５３は、折り返し線Ｌ１から上面板５の幅方向Ｗに所定寸法だけ切り込まれた幅方向切り込み５３ａ，５３ｂと、これら幅方向切り込み５３ａ，５３ｂの先端部（図２における右側の先端部）同士の間に亘って切り込まれた長手方向切り込み５３ｃとにより形成され、折り返し線Ｌ１において下面板４に対して上面板５が折り返された状態では、係止片部５３が下面板４および上面板５の端縁から突出する状態となる。
【００３５】
＜下面板の取り出し孔＞
下面板４には１０個の取り出し孔（本発明でいう取り出し部）４２，４２，…が形成されている。この取り出し孔４２，４２，…は、薬剤８３がＰＴＰシート８０のＰＴＰ台紙８４の下面（被覆シート８２）から押し出される際に、この薬剤８３を通過させるための孔である。
【００３６】
図３は、この取り出し孔４２，４２，…およびその周辺部を拡大して示す図（下面板４を裏面４１側から見た図）である。
【００３７】
この図３に示すように、各取り出し孔４２，４２，…はそれぞれ円形で形成されている。各取り出し孔４２の内径寸法は、前記ＰＴＰシート８０の突出部８１ａの平面視形状（円形）の外径寸法に略一致している。なお、この取り出し孔４２の内径寸法は、前記薬剤８３を取り出す際に該薬剤８３の通過が可能な寸法であればよく、突出部８１ａの平面視形状の外径寸法に必ずしも一致している必要はない。言い替えると、取り出し孔４２の内径寸法としては、前記薬剤８３の外径寸法に一致しているか、または該外径寸法よりも僅かに大きくなっておればよく、突出部８１ａの平面視形状の外径寸法は取り出し孔４２の内径寸法よりも大きくてもよいし、小さくてもよい。
【００３８】
また、各取り出し孔４２，４２，…の配設位置は、前記ＰＴＰシート８０の１０個の突出部８１ａ，８１ａ，…それぞれに対応可能な位置に設定されている。つまり、各取り出し孔４２，４２における前記長手方向ＸのピッチＰ３０は前述した突出部８１ａ，８１ａにおける前記長手方向ＸのピッチＰ１０に略一致している（Ｐ３０＝Ｐ１０）。同様に、各取り出し孔４２，４２における前記幅方向Ｗの中心間長さＰ４０は前述した突出部８１ａ，８１ａの中心間長さＰ２０に略一致している（Ｐ４０＝Ｐ２０）。このため、ＰＴＰシート８０における複数の突出部８１ａのうちの一つが取り出し孔４２に対向している場合（具体的には、ＰＴＰシート８０の被覆シート８２において突出部８１ａに対向する部分が取り出し孔４２に対向している場合）には、他の突出部８１ａ（ＰＴＰシート８０の被覆シート８２において他の突出部８１ａに対向する部分）にあっても取り出し孔４２に対向することになる。
【００３９】
＜上面板の突出部ガイド孔＞
上面板５には１０個の突出部ガイド孔５２，５２，…が形成されている。図４は、この突出部ガイド孔５２，５２，…およびその周辺部を拡大して示す図（上面板５を表面側から見た図；図２に示す状態から上面板５が折り返された状態の図）である。
【００４０】
各突出部ガイド孔５２，５２，…は、下面板４と上面板５との間にＰＴＰシート８０のフランジ部８１ｂが挟まれた状態において、該ＰＴＰシート８０の突出部８１ａが挿入される部分である（図１を参照）。
【００４１】
本実施形態の特徴の一つとして、各突出部ガイド孔５２は、前記長手方向Ｘおよび幅方向Ｗそれぞれに対して所定の傾斜角度を存した長軸Ｏ１を有する略長円形状で成っている。つまり、この長軸Ｏ１に沿う方向が本発明でいう突出部ガイド孔５２の延在方向である。本実施形態では、この突出部ガイド孔５２の長軸Ｏ１の傾斜角度は図４の左右方向（上面板５の幅方向）に対して約４０°に設定されている。この値はこれに限定されるものではない。例えば、この傾斜角度に応じて、下面板４および上面板５における長手方向Ｘの必要寸法および幅方向Ｗの必要寸法は異なることになるので、ＰＴＰシート用収容体１の携帯性等を考慮した適切な各寸法が実現できるように前記傾斜角度は設定されることになる。
【００４２】
図４に示すように突出部ガイド孔５２は、前記長軸Ｏ１に沿う方向の両側に位置し前記突出部８１ａの外縁（円形）の曲率に略一致する曲率を有する円弧状開口縁５２ａ，５２ｂと、各円弧状開口縁５２ａ，５２ｂ同士を連結すると共に、これら円弧状開口縁５２ａ，５２ｂ同士の間において前記突出部８１ａの外径寸法Ｐ１よりも僅かに短い幅（図４における寸法Ｐ４）の開口を形成するように内側（長軸Ｏ１に近づく側）に突出した凸状開口縁５２ｃ，５２ｄとを備えている。つまり、これら円弧状開口縁５２ａ，５２ｂと凸状開口縁５２ｃ，５２ｄとが連続されて突出部ガイド孔５２の外縁は形成されている。
【００４３】
言い替えると、この突出部ガイド孔５２の開口領域としては、前記長軸Ｏ１に沿う方向（突出部ガイド孔５２の延在方向）の一方側に位置する円形の第１開口領域５２Ａ（図４の仮想線Ａの内側の領域）と、前記長軸Ｏ１に沿う方向（突出部ガイド孔５２の延在方向）の他方側に位置する円形の第２開口領域５２Ｂ（図４の仮想線Ｂの内側の領域）と、連絡開口領域５２Ｃとによって構成されている。つまり、前記円弧状開口縁５２ａが前記第１開口領域５２Ａの外縁を形成しており、前記円弧状開口縁５２ｂが前記第２開口領域５２Ｂの外縁を形成しており、前記凸状開口縁５２ｃ，５２ｄが前記連絡開口領域５２Ｃの外縁を形成している。
【００４４】
第１開口領域５２Ａおよび第２開口領域５２Ｂそれぞれの内径寸法は前記ＰＴＰシート８０の突出部８１ａの外径寸法Ｐ１に略一致している。また、連絡開口領域５２Ｃを形成している前記凸状開口縁５２ｃ，５２ｄ同士の間隔寸法（長軸Ｏ１に対して直交する方向での間隔寸法）Ｐ４は各開口領域５２Ａ，５２Ｂそれぞれの内径寸法（ＰＴＰシート８０の突出部８１ａの外径寸法でもある）よりも僅かに小さく設定されている。
【００４５】
このため、ＰＴＰシート８０の突出部８１ａが突出部ガイド孔５２に挿入された状態にあっては、この突出部８１ａは突出部ガイド孔５２の延在方向（長軸Ｏ１に沿う方向）に移動することが可能であり、この移動に伴い、ＰＴＰシート８０も前記突出部ガイド孔５２の延在方向（長軸Ｏ１に沿う方向）に移動することになる。また、各円弧状開口縁５２ａ，５２ｂ同士の間には凸状開口縁５２ｃ，５２ｄが形成されているので、突出部８１ａが一方の開口領域５２Ａ，５２Ｂに位置している状態では、凸状開口縁５２ｃ，５２ｄが突出部８１ａの移動を規制することになり、突出部８１ａを一方の開口領域５２Ａ，５２Ｂに保持する機能が発揮されるようになっている。
【００４６】
また、各突出部ガイド孔５２における第１開口領域５２Ａの配設位置は、前記折り返し線Ｌ１において折り返されて下面板４上に上面板５が合わされた状態で、図５（下面板４上に上面板５が重ね合わされた状態であって、ＰＴＰシート８０を省略した、取り出し孔４２、突出部ガイド孔５２およびその周辺部を拡大して示す図）に示すように、下面板４の取り出し孔４２それぞれに対応した位置に設定されている。つまり、各突出部ガイド孔５２における第１開口領域５２Ａの配設位置と、下面板４の各取り出し孔４２の配設位置とは、前記折り返し線Ｌ１に対して線対称な位置となっており、この折り返し線Ｌ１において折り返されて下面板４上に上面板５が合わされることで、前述したように各突出部ガイド孔５２における第１開口領域５２Ａの全体が下面板４の取り出し孔４２に対向し、これらが連通されることになる。この場合、各突出部ガイド孔５２における第２開口領域５２Ｂの一部は下面板４の取り出し孔４２に対向しておらず、この第２開口領域５２Ｂの一部は下面板４によって閉鎖された状態となっている。図５では、この第２開口領域５２Ｂにおいて下面板４によって閉鎖された領域に斜線を付している。
【００４７】
（蓋部）
蓋部３は、ＰＴＰシート収容部２に対して開閉自在に連接され、ＰＴＰシート収容部２の表面側（ＰＴＰシート８０の突出部８１ａが突出している側）を覆う閉鎖状態と、このＰＴＰシート収容部２の表面側を外部に臨ませる開放状態との間で回動自在となっている。
【００４８】
また、この蓋部３は、第１蓋板６と、該第１蓋板６に連接する第２蓋板７とにより構成されている（図２を参照）。そして、第１蓋板６に対して第２蓋板７が折り返されることにより、これら第１蓋板６の裏面６１と第２蓋板７の裏面７１（それぞれ図２において手前側を向いている面）同士が接着され、これによって前記蓋部３が構成されることになる（図１を参照）。これら第１蓋板６の裏面６１と第２蓋板７の裏面７１との接着領域は、これらの全面であってもよいし、外縁部分のみであってもよい。
【００４９】
また、第１蓋板６は、立ち上げ片６２を介して前記下面板４に連接されている。この立ち上げ片６２の幅方向Ｗの寸法Ｗ４は、ＰＴＰシート８０の高さ寸法程度に設定されている。この立ち上げ片６２の一方側は下面板４に連接されている。この立ち上げ片６２と下面板４との間には折り曲げ線Ｌ２が設けられている。また、立ち上げ片６２の他方側は第１蓋板６に連接されている。この立ち上げ片６２と第１蓋板６との間には折り曲げ線Ｌ３が設けられている。これら折り曲げ線Ｌ２，Ｌ３によって折り曲げられることで、立ち上げ片６２の幅方向Ｗの寸法Ｗ４だけの間隔を存して蓋部３はＰＴＰシート収容部２よりも上側に位置されることになる。つまり、前記立ち上げ片６２によってＰＴＰシート収容部２と蓋部３との間にＰＴＰシート８０を収容するための空間が形成されることになる。
【００５０】
また、この蓋部３を構成する第１蓋板６と第２蓋板７との間には、前記閉鎖状態（蓋部３がＰＴＰシート収容部２の表面側を覆う状態）において前記係止片部５３が差し込まれる係止片受け部３１が設けられている。この係止片受け部３１は、第１蓋板６側に位置する第１立ち上げ部３１ａ、第２蓋板７側に位置する第２立ち上げ部３１ｂ、これら立ち上げ部３１ａ，３１ｂの間に配設された連接部３１ｃにより形成される。具体的には、第２立ち上げ部３１ｂおよび連接部３１ｃそれぞれにおいて前記幅方向Ｗに延びる縁部には第２蓋板７との間に幅方向切り込み３１ｄ，３１ｅが形成されている。また、第１蓋板６と第１立ち上げ部３１ａとの間、第１立ち上げ部３１ａと連接部３１ｃとの間、連接部３１ｃと第２立ち上げ部３１ｂとの間、第２立ち上げ部３１ｂと第２蓋板７との間のそれぞれには折り曲げ線Ｌ４，Ｌ５，Ｌ６，Ｌ７が設けられており、これら折り曲げ線Ｌ４，Ｌ５，Ｌ６，Ｌ７で各部３１ａ，３１ｂ，３１ｃが折り曲げられることで、図１に示すように、蓋部３の端縁部において係止片受け部３１が箱形に形成される。前記第１立ち上げ部３１ａと連接部３１ｃとの間の折り曲げ線Ｌ５の一部には前記係止片部５３が差し込まれる切り込み３１ｆが形成されており、前記閉鎖状態（蓋部３がＰＴＰシート収容部２の表面側を覆う状態）において前記係止片部５３がこの切り込み３１ｆに差し込まれて係止されることで、前記閉鎖状態が保持されるようになっている。
【００５１】
（薬剤取り出し動作）
次に、前述の如く構成されたＰＴＰシート用収容体１から薬剤８３を取り出すための動作について説明する。
【００５２】
先ず、ＰＴＰシート８０を収容したＰＴＰシート用収容体１を携帯するに際し、薬剤８３の取り出しを阻止するチャイルドレジスタンス機能が得られる状態（以下、この状態をレジスタンス状態という）とする場合には、下面板４と上面板５との間でＰＴＰシート８０をスライド移動させ、図６（ａ）（レジスタンス状態でのＰＴＰシート用収容体１の平面図）に示すように、ＰＴＰシート８０の突出部８１ａを、上面板５の突出部ガイド孔５２の第２開口領域５２Ｂに位置させる。これにより、図６（ｂ）（レジスタンス状態でのＰＴＰシート用収容体１の下面図）に示すように、ＰＴＰシート８０の被覆シート８２における突出部８１ａに対向する領域の一部分は下面板４の取り出し孔４２に対向しない状態となる（図６（ｂ）の破線が突出部８１ａの外縁を表している）。つまり、このＰＴＰシート８０の被覆シート８２における突出部８１ａに対向する領域の一部分は、下面板４において取り出し孔４２が形成されていない領域に対向することになる。
【００５３】
また、蓋部３を閉鎖状態（ＰＴＰシート収容部２の表面側（ＰＴＰシート８０の突出部８１ａが突出している側）を覆う状態）にすると共に、係止片部５３を係止片受け部３１の切り込み３１ｆに差し込んで係止させる。
【００５４】
このような状態にあっては、仮に幼児等が蓋部３を開放状態にしてＰＴＰシート８０の突出部８１ａを下側に押圧したとしても、被覆シート８２における突出部８１ａに対向する領域には下面板４（突出部ガイド孔５２の第２開口領域５２Ｂに対向し、この第２開口領域５２Ｂを閉鎖している下面板４；図５において斜線を付した部分）が存在しているため、薬剤８３の取り出しを阻止するチャイルドレジスタンス機能が発揮される。つまり、幼児等が誤って薬剤８３を取り出してしまうことが防止される。
【００５５】
そして、ＰＴＰシート用収容体１から薬剤８３を取り出す必要が生じた際には、蓋部３を開放状態にし、下面板４と上面板５との間でＰＴＰシート８０をスライド移動させ、図７（ａ）（レジスタンス解除状態でのＰＴＰシート用収容体１の平面図）に示すように、ＰＴＰシート８０の突出部８１ａを、突出部ガイド孔５２の第１開口領域５２Ａに位置させる。これにより、図７（ｂ）（レジスタンス解除状態でのＰＴＰシート用収容体１の下面図）に示すように、ＰＴＰシート８０の被覆シート８２における突出部８１ａに対向する領域の全体が下面板４の取り出し孔４２に対向した状態となる（図７（ｂ）の破線が突出部８１ａの外縁を表している）。
【００５６】
このような状態にあっては、前記チャイルドレジスタンス機能が解除されることになり、ＰＴＰシート８０の突出部８１ａを下側に押圧することで、その押圧力によって被覆シート８２が破断し、この突出部８１ａ内に封入されていた薬剤８３が、下面板４の取り出し孔４２を通過して取り出されることになる。
【００５７】
その後、チャイルドレジスタンス機能を復帰させる場合には、前述したように、下面板４と上面板５との間でＰＴＰシート８０をスライド移動させ、図６（ａ）に示すように、ＰＴＰシート８０の突出部８１ａを、上面板５の突出部ガイド孔５２の第２開口領域５２Ｂに位置させる。
【００５８】
（実施形態の効果）
以上説明したように、本実施形態に係るＰＴＰシート用収容体１は、下面板４と上面板５との間でＰＴＰシート８０のフランジ部８１ｂを挟み、突出部８１ａを突出部ガイド孔５２の延在方向に沿って移動させて、下面板４と上面板５との間でＰＴＰシート８０をスライド移動させるのみで、薬剤８３の取り出しを阻止する状態（レジスタンス状態）と薬剤８３の取り出しを可能にする状態（レジスタンス解除状態）とを切り替えることができる。このため、比較的簡単な構成でチャイルドレジスタンス機能を実現することができる。また、前記特許文献１のものでは、折罫線の折れ角度を変更することでこれら状態の切り替えを行うようにしていたため、この切り替えを複数回に亘って行った場合に折罫線の部分が破断してしまい、この切り替えが不能になってしまう虞があったが、本実施形態のものは、折罫線の折れ角度を変更するといったものではないため、耐久性に優れたものとなっている。また、下面板４と上面板５との間でＰＴＰシート８０をスライド移動させる方向は、長方形に形成されているＰＴＰシート８０の長手方向に対して所定の傾斜角度を存した方向（上面板５の突出部ガイド孔５２の延在方向）である。このため、ＰＴＰシート８０をその長手方向に沿って移動させるものに比べて、この長手方向のＰＴＰシート用収容体１の長さ寸法は短くて済む。このため、ＰＴＰシート用収容体１のコンパクト化を図ることもできる。
【００５９】
また、本実施形態では、前記突出部ガイド孔５２における第１開口領域５２Ａと第２開口領域５２Ｂとの間には、ＰＴＰシート８０の突出部８１ａの外径寸法よりも開口幅寸法が小さい連絡開口領域５２Ｃを設けているため、ＰＴＰシート８０の突出部８１ａが、第１開口領域５２Ａと第２開口領域５２Ｂとの間で移動する場合には、この突出部８１ａが連絡開口領域５２Ｃの開口幅を押し広げながら（突出部ガイド孔５２の開口縁を弾性変形させながら）該連絡開口領域５２Ｃを通過する必要がある。このため、突出部８１ａが第１開口領域５２Ａや第２開口領域５２Ｂに位置している場合には、その状態が保持されることになる。これにより、不用意に突出部８１ａが第２開口領域５２Ｂから第１開口領域５２Ａに移動してしまうといった状況を回避することができ、チャイルドレジスタンス機能が不用意に解除されてしまうといったことが防止できて、該機能の信頼性を高めることができる。
【００６０】
また、本実施形態では、蓋部３によって上面板５の上側を覆って閉鎖状態にすれば、ＰＴＰシート８０の突出部８１ａに対して突出部ガイド孔５２の延在方向に沿う外力が作用することを防止できる。これによっても、不用意に突出部８１ａが第２開口領域５２Ｂから第１開口領域５２Ａに移動してしまうといった状況を回避することができ、チャイルドレジスタンス機能が不用意に解除されてしまうといったことが防止できて、該機能の信頼性を高めることができる。また、この閉鎖状態にあっては、ＰＴＰシート８０の突出部８１ａの破損を防止することもでき、この突出部８１ａの破損に起因して薬剤８３が突出部８１ａ側から落下してしまうといったことも防止できる。
【００６１】
−実施形態２−
次に、実施形態２について説明する。前述した実施形態１では、下面板４に、薬剤８３を通過させるための円形の開口で成る取り出し孔４２，４２，…を形成していた。本実施形態は、これに代えて、薬剤８３を取り出す際に打ち抜かれる封止片を下面板４に備えさせたものである。その他の構成および動作は、前述した実施形態１と同様であるので、ここでは前記取り出し片について主に説明する。
【００６２】
図８は、本実施形態に係るＰＴＰシート用収容体１を展開した状態を示す平面図である。また、図９は、本実施形態において下面板４上に上面板５が重ね合わされた状態であって、ＰＴＰシート８０を省略した、封止片５５、突出部ガイド孔５２およびその周辺部を拡大して示す図である。
【００６３】
これらの図に示すように、前記実施形態１における取り出し孔４２に対応する部分には切取線Ｌ８において部分的に下面板４に繋がる封止片５５が設けられている。この封止片５５は、薬剤８３を取り出す際に、この薬剤８３によって打ち抜かれて下面板４から分離されるようになっている。
【００６４】
また、本実施形態では、幅方向Ｗで隣り合う封止片５５，５５同士の間には、開口５６が形成されており、封止片５５の周方向の一部分のみが切取線Ｌ８において下面板４に繋がる構成となっている。これにより、封止片５５の周方向の全体が下面板４に繋がる場合に比べて、封止片５５を打ち抜くために要する押圧力の軽減を図っている。つまり、薬剤８３を取り出すために要する押圧力が大きくなり過ぎないようにしている。
【００６５】
本実施形態の構成によれば、仮に、不用意にＰＴＰシート８０の突出部８１ａが第２開口領域５２Ｂから第１開口領域５２Ａに移動してしまってチャイルドレジスタンス機能が解除されてしまった場合であっても、封止片５５を打ち抜く（下面板４から離脱させる）だけの押圧力を突出部８１ａに作用させねば薬剤８３は取り出せないため、チャイルドレジスタンス機能を残すことができる。つまり、２段階でチャイルドレジスタンス機能を発揮させることができる。
【００６６】
本実施形態では、薬剤８３を取り出す際に該薬剤８３によって封止片５５を打ち抜くものとしていたが、手動によって（封止片５５を指で摘んで）下面板４から離脱させる（めくり取る）ものとしてもよい。つまり、ＰＴＰシート８０の突出部８１ａを第２開口領域５２Ｂから第１開口領域５２Ａに移動させると共に封止片５５を下面板４から離脱させる作業（めくり取る作業）を行うことで薬剤８３を取り出すといったものである。これによれば、ＰＴＰシート８０のスライド移動操作、封止片５５の離脱操作といった２段階の操作を行わねば薬剤８３は取り出せないことになるため、この場合にも２段階でチャイルドレジスタンス機能（２重ロック機能）を発揮させることができる。
【００６７】
−他の実施形態−
なお、本発明は、前記各実施形態に限定されるものではなく、特許請求の範囲および該範囲と均等の範囲で包含される全ての変形や応用が可能である。
【００６８】
例えば、前記各実施形態では、内容物として医薬品の錠剤（薬剤）８３を個別に包装したＰＴＰシート８０を収容するものについて説明したが、本発明はこれに限らず、例えば、タブレット状の内容物を包装するＰＴＰシート用収容体全般に適用することが可能である。つまり、ＰＴＰシート８０に封入される内容物としては特に限定されるものではない。
【００６９】
また、前記各実施形態では、５個の突出部８１ａ，８１ａ，…が並べられた列が２列、互いに平行に形成され、合計１０個の突出部８１ａ，８１ａ，…が設けられたＰＴＰシート８０を収容するＰＴＰシート用収容体１として本発明を適用した場合について説明した。突出部８１ａの一列当たりの個数や、その列数は特に限定されるものではなく、これら一列当たりの個数や列数に応じて下面板４の取り出し孔４２，４２，…の配置形態および上面板５の突出部ガイド孔５２，５２，…の配置形態を変更することで、様々なＰＴＰシート８０に対してそれを収容可能なＰＴＰシート用収容体１を実現することが可能である。
【００７０】
また、前記各実施形態では、図６（ａ）および図７（ａ）に示すように、ＰＴＰシート８０の突出部８１ａを斜め右上側に移動させることでレジスタンス状態にし、斜め左下側に移動させることでレジスタンス解除状態にする場合を例に挙げて説明した。本発明はこれに限らず、ＰＴＰシート８０の突出部８１ａを斜め左下側に移動させることでレジスタンス状態にし、斜め右上側に移動させることでレジスタンス解除状態にするようにしてもよい。
【００７１】
また、前記各実施形態では、レジスタンス状態にあっては、ＰＴＰシート８０の被覆シート８２における突出部８１ａに対向する領域の一部のみが下面板４の取り出し孔４２に対向しないことでチャイルドレジスタンス機能を発揮する構成としていた。本発明はこれに限らず、レジスタンス状態にあっては、ＰＴＰシート８０の被覆シート８２における突出部８１ａに対向する領域の全体が下面板４の取り出し孔４２に対向しないことでチャイルドレジスタンス機能を発揮する構成としてもよい。
【００７２】
また、前記各実施形態では、蓋部３を下面板４に連接させた構成としていた。本発明はこれに限らず、蓋部３を上面板５に連接させる構成としてもよい。また、本発明は、蓋部３を必須とするものではなく、前記ＰＴＰシート収容部２のみによってＰＴＰシート用収容体１を構成するようにしてもよい。
【００７３】
また、前記各実施形態では、下面板４と上面板５とを接着することでＰＴＰシート収容部２を構成するようにしていた。本発明はこれに限らず、下面板４と上面板５とを離脱可能に係止させる構成（例えば面ファスナ等によって離脱可能に係止させる構成）としておき、ＰＴＰシート８０の全ての薬剤８３を取り出した後には、下面板４と上面板５との係止を解除し、新たなＰＴＰシート８０を下面板４と上面板５との間に挟んで、これら下面板４と上面板５とを係止させるようにしてもよい。これによれば、全ての薬剤８３を取り出した後にあっても、ＰＴＰシート用収容体１の再使用が可能になる。
【産業上の利用可能性】
【００７４】
本発明は、医薬品の錠剤が封入されて成るＰＴＰシートを収容するＰＴＰシート用収容体に適用可能である。
【符号の説明】
【００７５】
１      ＰＴＰシート用収容体
２      ＰＴＰシート収容部
３      蓋部
４      下面板
４２    取り出し孔（取り出し部）
５      上面板
５２    突出部ガイド孔
５２Ａ  第１開口領域
５２Ｂ  第２開口領域
５２Ｃ  連絡開口領域
５５    封止片（取り出し部）
８０    ＰＴＰシート
８１ａ  突出部
８２    被覆シート
８３    薬剤（内容物）
８４    ＰＴＰ台紙
Ｘ      長手方向
Ｏ１    突出部ガイド孔の長軸
【図１】
2019006452.tif 000003
【図２】
2019006452.tif 000004
【図３】
2019006452.tif 000005
【図４】
2019006452.tif 000006
【図５】
2019006452.tif 000007
【図６】
2019006452.tif 000008
【図７】
2019006452.tif 000009
【図８】
2019006452.tif 000010
【図９】
2019006452.tif 000011
【図１０】
2019006452.tif 000012